(57)【特許請求の範囲】
【請求項１】
未改修のままの旧エレベータと、改修が終了した新エレベータとが混在しているリニューアルエレベータの制御装置において、
旧エレベータの制御装置の同時起動を抑制する旧エレベータ用既設の第１のインターロック回路と、
旧エレベータの制御装置が起動中の間、新エレベータの制御装置の起動に制限に加える第２のインターロック回路と、
を備えたことを特徴とするリニューアルエレベータの制御装置。
【請求項２】
前記第２のインターロック回路は、前記旧エレベータの制御装置が起動を完了したときに前記第１のインターロック回路から出力される起動完了信号が全てオンになったときに  前記新エレベータの制御装置に起動を許可する起動許可信号を与えるＡＮＤ条件回路を有することを特徴とする請求項１に記載のリニューアルエレベータの制御装置。
【請求項３】
前記第２のインターロック回路は、前記旧エレベータの制御装置が起動を完了したときに前記第１のインターロック回路から出力される起動完了信号がいずれか一台の旧エレベータについてオンになったときに前記新エレベータの制御装置に旧エレベータが起動中であることを示す起動中信号を与えるＯＲ条件回路を有し、前記新エレベータの制御装置は、前記起動中信号に基づいて当該新エレベータを微速運転のみ可能な状態で起動させる電流抑制回路を有することを特徴とする請求項１に記載のリニューアルエレベータの制御装置。
【請求項４】
前記第２のインターロック回路は、前記旧エレベータの制御装置が起動を完了したときに前記第１のインターロック回路から出力される起動完了信号がいずれか一台の旧エレベータについてオンになったときに前記新エレベータの制御装置に旧エレベータが起動中であることを示す起動中信号を与えるＯＲ条件回路と、前記起動中信号に基づいてオンし、所定時間遅延させて起動許可信号を前記新エレベータの制御装置に与えるタイマー回路と、を有することを特徴とする請求項１に記載のリニューアルエレベータの制御装置。
【請求項５】
前記第２のインターロック回路を設ける替わりに、前記新エレベータの制御装置からの起動完了信号を前記第１のインターロック回路に送信し、前記第１インターロック回路により、旧エレベータの制御装置および新エレベータの制御装置の同時起動を抑制するインターロックを構成するようにしたことを特徴とする請求項１に記載のリニューアルエレベータの制御装置。
【請求項６】
前記旧エレベータおよび新エレベータは、群管理制御されるエレベータであることを特徴とする請求項１乃至５のいずれかに記載のリニューアルエレベータの制御装置。
【請求項７】
前記旧エレベータおよび新エレベータは、同一の自家発電源を共通としている群管理制御されていないエレベータであることを特徴とする請求項１乃至５のいずれかに記載のリニューアルエレベータの制御装置。
【発明の詳細な説明】
【技術分野】
【０００１】
本発明の実施形態は、リニューアルエレベータの制御装置に関する。
【背景技術】
【０００２】
老朽化した旧式のエレベータを最新のエレベータに更新して、エレベータの能力と利便性を高めることをエレベータのリニューアルという。このようなリニューアルでは、通常、エレベータを一台ずつ更新していくことになる。リニューアル工事を行っている間は、未更新のエレベータ（以下、旧エレベータという）が乗客にサービスを提供することになる。また、更新されたエレベータ（以下、エレベータという）が運転を始めると、残りの他の旧エレベータが更新されるまで、旧エレベータと新エレベータとが混在したシステムのまま運行される。
【０００３】
ところで、群管理エレベータや、同一機械室で電源を共通している複数台のエレベータでは、各号機を一斉に起動すると、起動するときの突入電量が高いことから、主電源のプレーカはトリップした状態になり、エレベータを起動できなくなることがある。かかる不都合を防止するために、エレベータ各号機の間では、インターロック回路が形成されており、このインターロック回路によって、各号機が同時に起動されないようにしている。このような同時起動を抑制するインターロック回路としては、例えば、特許文献１に開示されているものがある。
【先行技術文献】
【特許文献】
【０００４】
【特許文献１】特開平５−１７０８５号公報
【発明の開示】
【発明が解決しようとする課題】
【０００５】
旧エレベータだけで群管理エレベータシステムが構築されていたときには、各号機の間で形成されているインターロック回路によって、同時起動は抑制されている。
【０００６】
ところが、全てのエレベータの更新が完了していない段階では、新・旧エレベータが混在して運転されている。この段階にあるリニューアルエレベータでは、新・旧エレベータの間で、同時起動を抑制するインターロック回路が構成されていない。このため、新エレベータと旧エレベータとが同時に起動した場合には、旧エレベータの突入電流が大きいことから、新エレベータの制御装置は電圧低下を検出して、エレベータが起動不能になるという問題があった。
【０００７】
本発明は、前記従来技術の有する問題点に鑑みなされたものであって、新旧エレベータが混在しているリニューアルエレベータにおいて、エレベータの起動不能を確実になくすことができるようにしたリニューアルエレベータの制御装置を提供することを目的とする。
【課題を解決するための手段】
【０００８】
前記の目的を達成するために、本発明は、
未改修のままの旧エレベータと、改修が終了した新エレベータとが混在しているリニューアルエレベータの制御装置において、
旧エレベータの制御装置の同時起動を抑制する旧エレベータ用既設の第１のインターロック回路と、
旧エレベータの制御装置が起動中の間、新エレベータの制御装置の起動に制限に加える第２のインターロック回路と、
を備えたことを特徴とするものである。
【図面の簡単な説明】
【０００９】
【図１】本発明の第１実施形態によるリニューアルエレベータの制御装置を示すブロック図である。
【図２】本発明の第２実施形態によるリニューアルエレベータの制御装置を示すブロック図である。
【図３】本発明の第３実施形態によるリニューアルエレベータの制御装置を示すブロック図である。
【図４】本発明の第４実施形態によるリニューアルエレベータの制御装置を示すブロック図である。
【発明を実施するための最良の形態】
【００１０】
以下、本発明によるリニューアルエレベータの制御装置の実施形態について、添付の図面を参照しながら説明する。
【００１１】
第１実施形態  
図１は、本発明の第１実施形態によるリニューアルエレベータの制御装置を示す。図１において、参照番号１、１ａは、それぞれまだ更新が行われていない旧式のエレベータ（以下、旧エレベータという）の制御装置を示している。参照番号２は、更新が終わった新エレベータの制御装置を示している。この実施形態は、２台の旧エレベータと、１台の新エレベータとが、群管理制御装置によって群管理制御されているリニューアルエレベータに本発明を適用した実施の形態である。
【００１２】
旧エレベータの制御装置１、１ａには、旧エレベータの１号機、２号機で共用する各種回路が実装されている共通盤４が設置当初から接続されている。この共通盤４内には、旧エレベータの制御装置１、１ａの同時起動を抑制する旧エレベータ用のインターロック回路５が設置当初から設けられている。
【００１３】
この旧エレベータ用のインターロック回路５には、それぞれ旧エレベータ１号機の制御装置１、旧エレベータ２号機の制御装置１ａの電源スイッチがオンに入ったときの起動信号６、６ａが導入される。このとき、一方の起動が優先され、他方の起動は劣後するようにインターロックが構成されている。
【００１４】
このように旧エレベータ用のインターロック回路５が設けられていることにより、旧エレベータの制御装置１、１ａの起動中はインターロックが効いているが、新エレベータの制御装置２とはインターロックが形成されていない。本実施形態では、新エレベータの制御装置２の起動に制限に加える第２のインターロック回路が次のように構成されている。
【００１５】
図１に示されるように、旧エレベータの制御装置１、１ａがそれぞれ起動を完了したときには、起動完了信号７、７ａが旧エレベータ用のインターロック回路５からＡＮＤ条件回路８に出力されるようになっている。このＡＮＤ条件回路８は、起動完了信号７、７ａがともにオンになったときに、３号機の新エレベータの制御装置２に起動を許可する起動許可信号９を出力する。新エレベータの制御装置２は、起動許可信号９を受信しない限り、電源スイッチがオンになっても起動できないように構成されており、起動許可信号９の入力があってはじめて起動するようになっている。
【００１６】
本実施形態によるリニューアルエレベータの制御装置は、以上のように構成されるものであり、次に、その作用並びに効果について説明する。
【００１７】
図１において、１号機である旧エレベータの制御装置１と、３号機である新エレベータの制御装置２とで同時に電源スイッチが投入された場合を例に説明する。  
旧エレベータ１号機の制御装置１の起動が完了すると、旧エレベータ用のインターロック回路５からＡＮＤ条件回路８に起動完了信号７が出力される。このとき、旧エレベータ２号機の制御装置１ａはまだ起動されていないため、旧エレベータ用のインターロック回路５からＡＮＤ条件回路８には起動完了信号７ａが出力されない。ＡＮＤ条件回路８では入力が共にオンにならないことから、起動許可信号９は新エレベータの制御装置２に出力されない。このため、新エレベータの制御装置２が旧エレベータの制御装置１と同時に起動することは回避される。なお、旧エレベータ２号機の制御装置１ａと、３号機である新エレベータの制御装置２とで同時に電源スイッチが投入された場合も同様である。
【００１８】
次に、旧エレベータの制御装置１、１ａと新エレベータの制御装置２において同時に電源スイッチが投入された場合について説明する。  
この場合、まず、旧エレベータの制御装置１、１ａの同時起動を回避する旧エレベータ用のインターロック回路５が作動して、旧エレベータ１号機の制御装置１を優先的に起動させ、旧エレベータ２号機の制御装置１ａはその後に間をおいて起動される。旧エレベータの制御装置１、１ａが順次起動を完了すると、起動信号７、７ａが旧エレベータ用のインターロック回路５からＡＮＤ条件回路８に出力され、ＡＮＤ条件が成立する。その結果、ＡＮＤ条件回路８から新エレベータの制御装置２に起動許可信号９が出力され、新エレベータの制御装置２が起動することになる。
【００１９】
このようにして、一斉に電源スイッチが投入されたとしても、旧エレベータの制御装置１、１ａと新エレベータの制御装置２とが同時に起動されることがないので、突入電流の増大による主電源のプレーカのトリップを回避し、新エレベータの制御装置２を確実に起動することができる。
【００２０】
第２実施形態  
次に、本発明によるリニューアルエレベータの制御装置の第２実施形態について、図２を参照しながら説明する。なお、図２において、図１の第１実施形態の構成要素と同一の構成要素には、同一の参照番号を付してその詳細な説明は省略する。
【００２１】
この第２実施形態は、新エレベータの制御装置２に、エレベータをごく低速でのみ運転できる状態で起動する電流抑制回路を設けることによって、旧エレベータと新エレベータの間でインターロックを形成するようにした実施の形態である。
【００２２】
図２において、参照番号１０は、ＯＲ条件回路を示す。このＯＲ条件回路１０には、旧エレベータ用のインターロック回路５から出力される旧エレベータの制御装置１、１ａの起動完了信号７、７ａが入力される。そして、このＯＲ条件回路１０からは、旧エレベータの制御装置１、１ａが起動中であることを示す起動中信号１１が電流抑制回路１２に出力される。この電流抑制回路１２は、新エレベータを低速運転、具体的には、点検運転時のスピードと同等の低速運転のみ可能な状態で起動するように電源回路での電流を抑制する回路である。
【００２３】
次に、以上のように構成される本発明の第２実施形態の作用について説明する。  
図２において、旧エレベータ１号機の制御装置１と、旧エレベータ２号機の制御装置１ａとで同時に電源スイッチが投入され、３号機である新エレベータの制御装置２に対しても、電源スイッチが一斉に入れられた場合を例にして説明する。  
この場合、旧エレベータの制御装置１、１ａの同時起動を回避する旧エレベータ用のインターロック回路５が作動して、旧エレベータ１号機の制御装置１を優先的に起動させ、旧エレベータ２号機の制御装置１ａの方は間をおいてその後に起動される。そこでまず、旧エレベータ１号機の制御装置１の起動が完了すると、旧エレベータ用のインターロック回路５からＯＲ条件回路１０に起動完了信号７が出力される。この段階では、旧エレベータ２号機の制御装置１ａは起動を完了しておらず、起動の最中である。そして、ＯＲ条件回路１０からは、起動中信号１１が新エレベータの制御装置２の電流抑制回路１２に出力され、この電流抑制回路１２が作動を開始する。このとき、新エレベータの制御装置２も起動するが、電流抑制回路１２によって電流が抑制され、点検運転時とスピードと同等の低速運転のみが可能になるので、突入電流の増大を抑制することができ、主電源のプレーカのトリップを回避し、新エレベータの制御装置２を確実に起動することができる。
【００２４】
第３実施形態  
図３は、本発明の第３実施形態によるリニューアルエレベータの制御装置を示す。なお、図３において、図１の第１実施形態と同一の構成要素には同一の参照番号を付してその詳細な説明は省略する。
【００２５】
この第３実施形態は、旧エレベータ用のインターロック回路５からＯＲ条件回路１０に起動完了信号７、７ａが入力されるようにしている点は、第２実施形態と同様であるが、ＯＲ条件回路１０と、起動許可信号１４を所定時間遅延させて新エレベータの制御装置２に与えるタイマー回路１５とを組み合わせることでインターロックを形成するようにした実施形態である。
【００２６】
図３において、ＯＲ条件回路１０には、旧エレベータ用のインターロック回路５から出力される旧エレベータの制御装置１、１ａの起動完了信号７、７ａが入力される。そして、このＯＲ条件回路１０からは、旧エレベータの制御装置１、１ａが起動中であることを示す起動中信号１１がタイマー回路１５に対して出力される。タイマー回路１５は、起動中信号１１を受信すると、あらかじめ設定した所定時間が経過してから、起動許可信号１４を新エレベータの制御装置２に与えるようになっている。
【００２７】
次に、以上のように構成される本発明の第３実施形態の作用について説明する。
【００２８】
図３において、１号機である旧エレベータの制御装置１と、２号機である旧エレベータの制御装置１ａとで同時に電源スイッチが投入され、３号機である新エレベータの制御装置２に対しても、電源スイッチが一斉に入れられた場合を例にして説明する。  
この場合、旧エレベータの制御装置１、１ａの同時起動を回避する旧エレベータ用のインターロック回路５が作動して、旧エレベータ１号機の制御装置１を優先的に起動させ、旧エレベータ２号機の制御装置１ａの方は間をおいてその後に起動される。そこでまず、旧エレベータ１号機の制御装置１の起動が完了すると、旧エレベータ用のインターロック回路５からＯＲ条件回路１０に起動完了信号７が出力される。この段階では、旧エレベータ２号機の制御装置１ａは起動を完了しておらず、起動の最中である。そして、ＯＲ条件回路１０からは、起動中信号１１が新エレベータの制御装置２のタイマー回路１５に出力され、このタイマー回路１５が作動を開始する。
【００２９】
タイマー回路１５は、設定されている所定時間経過後に、起動許可信号１４を新エレベータの制御装置２に出力する。この起動許可信号１４を受信すると、新エレベータの制御装置２は起動することになる。
【００３０】
このようにして、一斉に電源スイッチが投入されたとしても、旧エレベータの制御装置１、１ａと新エレベータの制御装置２とが同時に起動されることがないので、突入電流の増大による主電源のプレーカのトリップを回避し、新エレベータの制御装置２を確実に起動することができる。
【００３１】
第４実施形態  
次に、図４は、本発明の第４実施形態によるリニューアルエレベータの制御装置を示す。なお、図４において、図１の第１実施形態と同一の構成要素には同一の参照番号を付してその詳細な説明は省略する。
【００３２】
この第４実施形態は、新エレベータの制御装置２からの起動信号を旧エレベータ用のインターロック回路５に入力し、この旧エレベータ用のインターロック回路５において、旧エレベータの制御装置１、１ａおよび新エレベータの制御装置２の同時起動を抑制するインターロックを構成するようにした実施の形態である。
【００３３】
次に、本発明の第４実施形態の作用について説明する。
【００３４】
図４において、旧エレベータ１号機の制御装置１と、旧エレベータ２号機の制御装置１ａとで同時に電源スイッチが投入され、３号機である新エレベータの制御装置２に対しても、電源スイッチが一斉に入れられた場合を例にして説明する。  
この場合、旧エレベータの制御装置１、１ａの同時起動を回避する旧エレベータ用のインターロック回路５には、新エレベータの制御装置２からも起動信号１６が入力される。旧エレベータ用のインターロック回路５は、旧エレベータ１号機の制御装置１を優先的に起動させ、旧エレベータ２号機の制御装置１ａの方は間をおいてその後に起動される。そして、旧エレベータ１号機、２号機の制御装置１、１ａの起動が順次完了すると、最後に、新エレベータの制御装置２が起動する。
【００３５】
このようにして、一斉に電源スイッチが投入されたとしても、旧エレベータの制御装置１、１ａと新エレベータの制御装置２とが同時に起動されることがないので、突入電流の増大による主電源のプレーカのトリップを回避し、新エレベータの制御装置２を確実に起動することができる。
【００３６】
以上説明した第１実施形態乃至第４実施形態は、いずれも旧エレベータと新エレベータを群管理制御しているリニューアルエレベータに本発明を適用した実施形態であるが、本発明は、旧エレベータおよび新エレベータが、同一の自家発電源を共通としている群管理制御されていないリニューアルエレベータにも適用可能である。
【００３７】
以上、本発明の実施形態を説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３８】
１…旧エレベータの制御装置、１ａ…旧エレベータの制御装置、２…新エレベータの制御装置、３…群管理制御装置、４…共通盤、５…旧エレベータ用のインターロック回路、６、６ａ…起動信号、７、７ａ…起動完了信号、８…ＡＮＤ条件回路、９…起動許可信号、１０…ＯＲ条件回路、１１…起動中信号、１２…電流抑制回路、１４…起動許可信号、１５…タイマー回路
【図１】
0005571126.tif 000002
【図２】
0005571126.tif 000003
【図３】
0005571126.tif 000004
【図４】
0005571126.tif 000005